(57)【要約】【課題】  液体を保持し、液体をそこから選択的に分配するための可撓性パッケージおよびそれらのパッケージの製造方法を提供すること。【解決手段】  各パッケージは、可撓性の材料で形成され、パッケージの連続する部分の間に密封されたほぼ舟型の底部セクションを有する水栓付属品を備える。該付属品は、パッケージ内の液体が分配されることを可能にするためのバルブを備える。該可撓性パッケージは、外側カートン内に配置されるように構成され、付属品の一部がカートンから外へ延びている。該パッケージは、自動化された形成充填密封機上で製造することができる、または自動化された充填密封機上で製造することができる。【選択図】  図１
2005272013.tif 000002
【特許請求の範囲】
【請求項１】
液体を保持し、液体をそこから選択的に分配するための可撓性パッケージであって、前記パッケージが、液体で充填され、機械上で密封されるように構成され、前記パッケージが、袋および水栓付属品を備え、前記袋が、付属品受け空間を形成するために互いに対向する縁部部分を有する可撓性の材料で形成され、前記水栓付属品が、底部セクションおよび水栓セクションを備え、前記底部セクションが、ほぼ舟型の形状であり、第１の長手方向軸と、前記第１の長手方向軸の対向する側面に沿って延びる滑らかで連続的な対向する１対の側壁と、上部壁面と、前記上部壁面から外側に延びる周縁くぼみ、および、前記第１の長手方向軸に対して垂直な第２の軸に沿って前記底部セクションおよびフランジを通って延びる第１の通路を備えるフランジとを備え、前記底部セクションが、前記付属品受け空間内に配置され、そこで袋の連続する縁部部分と固定されるように構成され、前記水栓セクションが、前記第１の通路と同軸であるそれを通って延びる第２の通路と、前記第２の通路と流体的に連絡しており、前記第２の軸に対して垂直な第３の軸に沿って延びるほぼ管状の部材を備える制御可能な分配部分とを備え、前記制御可能な分配部分が、前記第３の軸の一方の端部に配置された排出口と、前記第３の軸の反対の端部に配置されたねじりキャップと、前記ねじりキャップに接続されたバルブとを有し、前記ねじりキャップが、前記第３の軸の周りに回転されるように構成されている、前記可撓性パッケージ。
【請求項２】
外側カートンをさらに備え、前記パッケージが、前記カートン内に配置されるように構成され、前記カートンが、開口を備える壁を有し、前記開口と連続している前記壁の一部が前記フランジくぼみ内に配置されている、請求項１に記載のパッケージ。
【請求項３】
前記ほぼ舟型の底部セクションが、中央部分と、第１の端部と、第２の端部とを備え、前記第１の端部が、前記中央部分から外向きに突き出して、第１の先端へ先細りしており、前記第２の端部が、前記第１の端部と直径方向に対向して前記中央部分から外向きに突き出して、第２の先端へ先細りしており、前記第１の長手方向軸が、前記第１の先端から前記第２の先端へ延びている、請求項１に記載のパッケージ。
【請求項４】
前記底部セクションの前記中央部分が、ほぼ円筒形の形状であり、前記第１の端部が、前記中央部分から前記第１の先端へ凸状に先細りしており、前記第２の端部が、前記中央部分から前記第２の先端へ凸状に先細りしている、請求項３に記載のパッケージ。
【請求項５】
外側カートンをさらに備え、前記パッケージが、前記カートン内に配置されるように構成され、前記カートンが、開口を備える壁を有し、前記壁の一部が、前記フランジくぼみ内に配置されている、請求項４に記載のパッケージ。
【請求項６】
液体をそこから選択的に分配するための可撓性パッケージのための前駆体であって、前記パッケージのそれぞれが、可撓性の材料で形成されており、液体で充填され、機械上で密封されるように構成され、中間セクションによって相互接続された１対の開いた袋を備え、前記袋のそれぞれが、それぞれの水栓付属品と、開いた上部を形成するために、互いに対向して並列され、それらの周縁の第１の部分に沿って互いに固定されているが、それらの周縁の第２の部分に沿って固定されていない第１のパネルおよび第２のパネルを備え、前記水栓付属品が、ほぼ舟型の底部セクションと水栓セクションとを備え、前記底部セクションが、前記各パネルの周縁の前記第１の部分の間に挟置されて密封されており、前記袋のそれぞれが、前記開いた上部を通って液体で充填され、次に、液体をその中に封入するために機械によって前記開いた上部に沿って密封されるように構成されている前駆体。
【請求項７】
前記ほぼ舟型の底部セクションが、第１の長手方向軸と、前記第１の長手方向軸の対向する側面に沿って延びる滑らかで連続的な対向する１対の側壁と、上部壁面と、前記上部壁面から外側に延びる周縁くぼみ、および、前記第１の長手方向軸に対して垂直な第２の軸に沿って前記底部セクションおよびフランジを通って延びる第１の通路を備えるフランジとを備え、前記底部セクションが、前記パネルの周縁の並列された部分の間に配置されるように構成され、前記水栓セクションが、前記第１の通路と同軸であるそれを通って延びる第２の通路と、前記第２の通路と流体的に連絡しており、前記第２の軸に対して垂直な第３の軸に沿って延びるほぼ管状の部材を備える制御可能な分配部分とを備え、前記制御可能な分配部分が、前記第３の軸の一方の端部に配置された排出口と、前記第３の軸の反対の端部に配置されたねじりキャップと、前記ねじりキャップに接続されたバルブとを有し、前記ねじりキャップが、前記第３の軸の周りに回転されるように構成されている、請求項６に記載の前駆体。
【請求項８】
前記ほぼ舟型の底部セクションが、中央部分と、第１の端部と、第２の端部とを備え、前記第１の端部が、前記中央部分から外向きに突き出して、第１の先端へ先細りしており、前記第２の端部が、前記第１の端部と直径方向に対向して前記中央部分から外向きに突き出して、第２の先端へ先細りしており、前記第１の長手方向軸が、前記第１の先端から前記第２の先端へ延びている、請求項７に記載の前駆体。
【請求項９】
前記底部セクションの前記中央部分が、ほぼ円筒形の形状であり、前記第１の端部が、前記中央部分から前記第１の先端へ凸状に先細りしており、前記第２の端部が、前記中央部分から前記第２の先端へ凸状に先細りしている、請求項８に記載の前駆体。
【請求項１０】
パッケージのそれぞれが、前記液体をそこから選択的に分配するための水栓付属品を備える、液体をその中で保持するための可撓性パッケージの製造方法であって：
（Ａ）前記可撓性パッケージを形成、充填および密封するための機械を提供すること；
（Ｂ）前記可撓性パッケージのための前駆体を形成するために前記機械内に可撓性の材料を導入することであって、前記前駆体が、付属品受け空間を確立するために互いに対向する１対の縁部部分を有する１対の並列されたパネルを備えること；
（Ｃ）底部セクションおよび水栓セクションを備える前記水栓付属品を提供することであって、前記底部セクションが、ほぼ舟型の形状であり、第１の長手方向軸と、前記第１の長手方向軸の対向する側面に沿って延びる滑らかで連続的な対向する１対の側壁とを有すること；
（Ｄ）前記底部セクションを前記付属品受け空間内に配置し、前記底部セクションの前記側壁を、前記付属品受け空間で前記１対のパネルの連続的な縁部部分に固定すること；
（Ｅ）前記前駆体内に中空の内部空間を確立すること；
（Ｆ）前記前駆体内の中空の内部空間を前記液体で充填すること；
（Ｇ）前記パッケージを完成し、前記液体をその中で保持するために、前記前駆体内の中空の内部空間を密封することを含む、前記製造方法。
【請求項１１】
前記機械が、鉛直方向成形充填密封機である、請求項１０に記載の方法。
【請求項１２】
前記機械が、水平方向成形充填密封機である、請求項１０に記載の方法。
【請求項１３】
前記充填されたパッケージの少なくとも１つを、開口を有するカートン内に入れ、前記開口が、前記カートンの外側のアクセスのためにそれを通って延びている前記水栓付属品の一部を有するように構成されていることを、さらに含む、請求項１０に記載の方法。
【請求項１４】
前記付属品が、周縁くぼみを備えるフランジを備え、前記方法が、さらに、前記くぼみ内に前記開口の前記周縁と連続している前記カートンの一部を挿入することを含む、請求項１３に記載の方法。
【請求項１５】
パッケージのそれぞれが、液体をそこから選択的に分配するための水栓付属品を備える、前記液体をその中で保持するための可撓性パッケージの製造方法であって；
（Ａ）可撓性パッケージを充填および密封するための機械を提供すること；
（Ｂ）前記パッケージのための前駆体を提供することであって、前記前駆体が、中間部分によって相互接続された１対の開いた袋を備え、前記袋のそれぞれが、それぞれの水栓付属品と、開いた上部を形成するために、互いに対向して並列され、それらの周縁の第１の部分に沿って互いに固定されているが、それらの周縁の第２の部分に沿って固定されていない第１のパネルおよび第２のパネルを備え、前記水栓付属品が、ほぼ舟型の底部セクションと水栓セクションとを備え、前記底部セクションが、前記各パネルの周縁の前記第１の部分の間に挟置されて密封されていること；
（Ｃ）前記前駆体の前記中空の内部空間を前記液体で充填すること；及び
（Ｄ）前記パッケージを完成し、前記液体をその中で保持するために、前記前駆体の開いた上部を密封することを含む、前記製造方法。
【請求項１６】
前記充填されたパッケージの少なくとも１つを、開口を有するカートン内に入れ、前記開口が、前記カートンの外側のアクセスのためにそれを通って延びている前記水栓付属品の一部を有するように構成されていることを、さらに含む、請求項１５に記載の方法。
【請求項１７】
前記付属品が、周縁くぼみを備えるフランジを備え、前記方法が、前記くぼみ内に前記開口の前記周縁と連続している前記カートンの一部を挿入することを、さらに含む、請求項１５に記載の方法。
【請求項１８】
パッケージのそれぞれが、液体をそこから選択的に分配するための水栓付属品を備える、前記液体をその中で保持するための可撓性パッケージの製造方法であって；
（Ａ）前記可撓性パッケージを充填および密封するための機械を提供すること；
（Ｂ）前記可撓性パッケージのための前駆体の提供であって、前記前駆体が、中間部分によって相互接続された１対の開いた袋を備え、前記袋のそれぞれが、付属品受け空間を形成するために、互いに対向して並列され、それらの周縁の第１の部分に沿って互いに固定されているが、それらの周縁の第２の部分に沿って固定されておらず、開いた上部を有する中空の内部空間を形成するためにそれらの周縁の第３の部分に沿っても固定されていない第１のパネルと第２のパネルを備えること；
（Ｃ）ほぼ舟型の底部セクションおよび水栓セクションを有する水栓付属品を提供すること；
（Ｄ）前記底部セクションを前記付属品受け空間内に挿入し、前記底部セクションを前記パネルの前記周縁の連続的な部分に密封すること；
（Ｅ）前記開いた上部を通って前記前駆体内の中空の内部空間を前記液体で充填すること；及び
（Ｆ）前記パッケージを完成し、前記液体をその中で保持するために、前記前駆体の前記開いた上部を密封することを含む、前記製造方法。
【請求項１９】
前記充填されたパッケージの少なくとも１つを、開口を有するカートン内に入れ、前記開口が、前記カートンの外側にアクセスするためにそれを通って延びている前記水栓付属品の一部を有するような構成を、さらに提供する、請求項１８に記載の方法。
【請求項２０】
前記付属品が、周縁くぼみを備えるフランジを含み、前記方法が、前記くぼみ内に前記開口の前記周縁と連続している前記カートンの一部を挿入することを、さらに含む、請求項１９に記載の方法。
【発明の詳細な説明】
【技術分野】
【０００１】
本発明は、一般に可撓性パッケージ、より具体的には、液体の選択された分配を可能にするために、液体を収容するための水栓を備える可撓性パッケージ、および例えば形成充填密封機または充填密封機などの自動化された機械上でこのようなパッケージを作製する方法に関する。
【背景技術】
【０００２】
多数の特許が、液体を保持し、パッケージの一部を形成している付属の排出口または水栓を通って液体を分配するための可撓性パッケージを開示している。たとえば、特許文献１（Hample他）は、ワインを中に入れるためのパウチを開示しており、パウチは分配バルブ付属品を備える。特許文献２（Devan他）、特許文献３（Gaubert）、特許文献４（Gaubert）、特許文献５（Malpas他）、特許文献６（Savage他）、および特許文献７（Steiger）は、「バッグ・イン・ボックス」容器のための分配水栓を開示している。箱内の袋からの液体流を制御するための別の水栓が、特許文献８で開示されている。
【０００３】
特許文献９（Christine）は、液体を中に入れるためのガセット底パウチを開示しており、パウチは、内容物をパウチから排出することを可能にするためのキャップを備える。
【０００４】
特許文献１０（Uematsu）および特許文献１１（Malin）は、可撓性パッケージのための舟型の吐出口組立体を開示している。特許文献１２（Hess III他）および特許文献１３（Gross他）は、可撓性パッケージのための舟型のバルブ付き付属品を開示している。
【０００５】
液体を中に入れて分配するための付属品を備える上記で述べたパッケージおよび、このようなパッケージで使用するための付属品は、これらの意図された目的のために一般に適しているが、たとえば、成形充填密封機上での製造に特に適していないなどの１つまたは複数の欠点がある。これらは、製造するのがいくらか複雑であるおよび／または特別にコンパクトでない、および分配される液体の流速を制御することが可能ではない。
【０００６】
特許文献１４（Pongrass他）は、可撓性のプラスチック袋を成形、充填および密封するための方法および装置を開示している。しかし、製造された袋は、袋の内容物を選択的に分配することを可能にするための水栓を備えていない。
【特許文献１】米国特許  第４，４２９，８１０号
【特許文献２】米国特許  第３，６９６，９６９号
【特許文献３】米国特許  第４，３１４，６５４号
【特許文献４】米国特許  第４，４１６，３９５号
【特許文献５】米国特許  第４，６０２，７２５号
【特許文献６】米国特許  第６，１３１，７６７号
【特許文献７】米国特許  第６，４４６，８４５号
【特許文献８】国際特許出願  ＷＯ  ０１／０２２８３Ａ１
【特許文献９】米国特許  第４，４５２，３７８号
【特許文献１０】米国特許  第５，９１１，３４０号
【特許文献１１】米国特許  第６，６１２，４６６号
【特許文献１２】米国特許  第６，０５０，４５１号
【特許文献１３】米国特許  第６，２７３，３０７号
【特許文献１４】米国特許  第４，５９８，５２９号
【発明の開示】
【発明が解決しようとする課題】
【０００７】
本発明は、液体を保持し、液体をそこから選択的に分配するための可撓性パッケージ、および成形充填密封機上または充填密封機上でパッケージの製造方法に関する。
【課題を解決するための手段】
【０００８】
パッケージは、袋と水栓を備える付属品とを備える。本発明の好ましい一態様によると、前記袋は、付属品受け空間を形成するために互いに対向する縁部部分を有する可撓性の材料で形成されている。前記水栓付属品は、底部セクションおよび水栓セクションを備える。前記底部セクションは、ほぼ舟型の形状であり、第１の長手方向軸と、前記第１の長手方向軸の対向する側面に沿って延びる滑らかで連続的な対向する１対の側壁と、前記底部セクションから外向きに延びる周縁くぼみを備えるフランジとを備える。第１の通路が、前記第１の長手方向軸に対して垂直な第２の軸に沿って前記底部セクションおよびフランジを通って延びている。前記底部セクションは、前記付属品受け空間内に配置され、そこで袋の連続する縁部部分と固定されるように構成されている。
【０００９】
前記水栓セクションは、前記第１の通路と同軸であるそれを通って延びる第２の通路と、制御可能な分配部分とを備える。前記制御可能な分配部分は、前記第２の通路と流体的に連絡しており、前記第２の軸に対して垂直な第３の軸に沿って延びるほぼ管状の部材を備える。前記制御可能な分配部分は、前記第３の軸の一方の端部に配置された吐出口と、前記第３の軸の反対の端部に配置されたねじりキャップと、前記ねじりキャップに接続されたバルブとを有する。前記ねじりキャップは、前記第３の軸の周りに回転されるように構成されている。
【００１０】
本発明の別の好ましい態様によると、前記パッケージは、液体を保持し、液体をそこから選択的に分配するための可撓性パッケージを作製するために充填および密封されるように構成されたパッケージ前駆体の形態である。各パッケージ前駆体は、中間セクションによって相互接続された１対の開いた袋を備える。前記袋のそれぞれは、それぞれの水栓付属品と、開いた上部を形成するために、互いに対向して並列され、それらの周縁の第１の部分に沿って互いに固定されているが、それらの周縁の第２の部分に沿って固定されていない第１のパネルおよび第２のパネルを備える。前記水栓付属品は、ほぼ舟型の底部セクションと水栓セクションとを備える。前記底部セクションは、前記各パネルの周縁の前記第１の部分の間に挟置されて密封されている。
【００１１】
本発明の好ましい１つの方法の態様によると、本発明のパッケージは、自動化された成形充填密封機を用いて可撓性の材料で形成されている。機械は、複数の袋を形成し、各袋は、付属品受け空間を形成するために互いに対向する１対の縁部部分を有する。機械は次に、付属品を、その底部が付属品受け空間内にあるように配置し、その際、その側壁が、部品受け空間で袋の連続する縁部部分に固定される。
【００１２】
本発明の別の好ましい方法の態様によると、本発明の可撓性パッケージは、本発明のパッケージ前駆体を使用して充填密封機を用いて製造することができる。このような場合、パッケージ前駆体のそれぞれが、充填密封機に供給されるように構成され、その袋のそれぞれが、その開いた上部を通って液体で充填され、次に液体をその中に封入するために機械によって開いた上部に沿って密封される。
【００１３】
本発明のさらに別の好ましい方法の態様によると、パッケージ前駆体は、最初付属品を備えない。このような場合、パッケージ前駆体は、付属品受け空間を備え、充填密封機内への導入の前にその中に各付属品が挿入され、密封されることができる。
本発明を、類似の参照番号が、類似の要素を示す、所定の図面とともに説明する。
【発明を実施するための最良の形態】
【００１４】
図１では、液体、たとえばワインを保持し、分配するためのパッケージの例示的な一実施形態が、１０で示されている。パッケージは基本的に、カートン２０と、本発明に従って製造される可撓性パッケージ２２とを備える。パッケージ２２は、図２を見れば最もよくわかるが、可撓性の袋２４および水栓付属品２６を基本的に備える。可撓性パッケージは、後で説明される様々な方式で形成されることができる。図２に示した実施形態では、袋２４は、１対の任意の適切な従来型の高分子フィルム製の対向するパネル２８および３０で形成されている。パネルは、ほぼ矩形の形状であり（必要に応じて、他の形状であってもよい）、２つのパネルが互いに対向して並列され、折り線３２によって片側で接続されるように方向付けられている（たとえば折り曲げられている）、高分子フィルムのウェブから形成された一体型ユニットである。パネル２８および３０の周縁部分は、折り線３２の一方の端部から延びる周縁密封線３４に沿って、ヒート・シールされている。同様に、パネル２８および３０の周縁部分は折り線３２の反対側の端部から延びる周縁密封線３６に沿って、ヒート・シールされている。
【００１５】
パネル２８および３０の残りの密封されていない周縁は、符号２８Ａおよび３０Ａによって示され、付属品受け空間を形成している。付属品２６が、その詳細を後で説明するが、周縁２８Ａと３０Ａの間の付属品受け空間内に配置され、それらに対してヒート・シールされている。特に、後で詳細に説明するように、付属品２６の底部セクション３８の一方の側の表面部分３８Ａ（図５）は、パネル２８の縁部２８Ａの連続する部分に対してその長さに沿ってヒート・シールされている。同様にして、底部セクション３８の反対側の表面部分３８Ｂ（図５）は、パネル３０の縁部３０Ａの連続する部分に対してその長さに沿ってヒート・シールされている。密封されていない縁部２８Ａおよび３０Ａの残りの部分もまた、互いにヒート・シールされている。すなわち、並列されたパネル２８および３０の全周縁が、分配される液体（図示せず）がその中に配置される中空の内部空間を有する袋を形成するために密封されている。液体による袋の充填は、後で説明する。
【００１６】
水栓付属品２６の底部セクション３８も、後で詳細に説明する。袋の液体内容物が、水栓付属品の一部を形成しているバルブの（後で説明される）選択的な手動制御の下で袋から流れ出ることを可能にするために、袋の内部空間と流体的に連絡している通路を備えると述べることで、ここでは十分であろう。
【００１７】
いったん袋２４が、ワインなどの所望の液体で充填された後、袋は、袋およびその内容物を保護するためにカートン２０内に配置されることができる。この目的のために、袋は、カートン２０の内部空間４０に挿入され、付属品２６が、カートンの切断部または穿孔された開口４２を通って引き出され、それによって、カートンの一部が、水栓付属品２６内のくぼみ４８（後で説明する）内にある開口の周縁と連続する。このことは、水栓付属品をカートンに固定し、水栓付属品２６の作動部分が、使用者によるアクセスが、袋の液体内容物のいくらかまたはすべてを分配するためにカートンの外側に配置される。
【００１８】
図３〜５を見れば最もよくわかるように、付属品２６は基本的に、今までに特定された底部セクション３８および水栓セクション５０を備える。水栓セクション５０は、管状の接続セクション５２および制御可能な分配セクション５４を備える。管状の接続セクション５２は基本的に、その周縁にくぼみ４８を有する円形のフランジ５６（図１〜５）と、フランジ５６の上部表面に対して垂直に突き出しているチューブまたはバレル（図３および４）を構成している。管状の接続セクションは、底部セクション３８を通って延びる通路６２（図３および４）と同軸であるそれを通って延びる中央通路６０（図３および４）を備える。通路６２は、底部セクション３８の底部壁面４８内の面取りされた表面４６へ開いている。可撓性パッケージ内部の液体は、このようにして、軸方向に整列された通路６０および６２内に流入することを可能にされる。制御可能な分配セクション内のバルブ（後で説明する）が、液体がパッケージから流出することを防止するまたは可能にするために、これらの通路を開放または閉鎖する働きをする。
【００１９】
制御可能な分配セクション５４は、軸方向に並べられた通路６２および６０の軸６６（図３）に対して垂直である軸６４（図３）に沿って延びていることを除いて、その開示が本明細書に組み込まれる国際特許出願 WO 01/02283A1で開示されている水栓と構造が同様である。制御可能な分配セクション５４は基本的に、その長さに沿ってほぼ中間にそれから突き出している円形のカラー７０を有する管状部材６８を備える。二重の開始螺旋溝７２Ａ、７２Ｂ（図４）が、管状部材６８の上端部の、外部表面上に配置されている。各溝は、管状部材の周縁に約１８０度にわたって延びている。溝は、カラー７０の近くを始点とし、管状部材６８の上端部の手前を終点としている。バレル５８内の通路６０の最も内側の端が、排出口７４を形成している。
【００２０】
プランジャ・ノブ７６の形態のバルブ（図３および４）が、管状部材６８の上端部の内部に配置されている。プランジャ・ノブは、外側スカート７８および半径横方向の端部壁面８０を備える。スカートは、半径方向内側を向いた２つの突起８２および８４をその内面上に備える。突起はそれぞれ、溝７２Ａおよび７２Ｂ内に滑動自在に配置されている。プランジャ・ノブ７６は、円錐形状の内部壁８６を有し、傾斜した密封縁部８８を終点とする内部円筒形部分を備える。プラグ９０が、プランジャ・ノブの中空の上部を閉鎖する。プランジャ・ノブの上部部分の外部表面は、プランジャ・ノブを軸６４の周りに捩じるまたは回転させるために把持されるように構成されたキャップを形成している。このキャップの外部表面は、ねじり／回転動作を容易にするためにギザギザを付けられている（図５参照）。
【００２１】
当業者なら理解されるように、プランジャ・ノブ７６の突起８２および８４が、それぞれ螺旋溝７２Ａおよび７２Ｂ内に配置されているため、プランジャ・ノブは、一方の回転方向に捩じられたとき、軸６４に沿って上向きに移動する。反対の回転方向に捩じられたとき、プランジャ・ノブはその軸に沿って下向きに移動することになる。
【００２２】
管状部材６８の下端部は、開いた吐出口９２の形態である。密封縁部８８に続くプランジャ・ノブの下端部は、プランジャ・ノブが図３に示すような閉鎖位へ回転されたときに、排出口７４を吐出口に対して閉鎖または遮断するために、吐出口の内径に対応する外径である。このような場合、液体は、閉鎖されたバルブによって、パッケージから流出するのを防止される。プランジャ・ノブが、図４に示すように開放位置へ回転されたとき、パッケージからの流体が、並べられた通路６２および６０を通って排出口７４へ、およびそこから吐出口９２へ流れるように排出口７４は遮蔽解除される。パッケージの流出の速度の制御は、全開位置と全閉位置の間の任意の中間位置へプランジャ・ノブを回転させることによって行われ、その際、プランジャ・ノブの下端部は、排出口７４を部分的に遮蔽するだけであり、遮蔽の量は、プランジャ・ノブの回転位置によって確立される。必要に応じて、プランジャ・ノブの傾斜した密封縁部８８に対応する形状の弁座（図示せず）が、バルブが閉鎖されたとき液体が漏出しないことを確実にするために、その密封縁部と協働するように管状部材６８内に設けられてもよい。
【００２３】
図５を見ればわかるように、付属品の底部セクション３８は、ほぼ「舟型形状」である。たとえば、底部セクション３８は、中央部分９４、第１の端部９６および第２の端部９８を有することがわかる。第１の端部９６は、中央部分９４から外向きに突き出しており、第１の先端１００へ向い先細りしている。第２の端部９８は、中央部分９４から外側に第１の端部９６と直径方向逆向きに突き出しており、第２の先端１０２へ向い先細りしている。底部セクション３８は、その幅よりも長く、したがって、第１の先端１００から第２の先端１０２へ延びる長手方向軸を有する。底部セクション３８はまた、底部壁面４４と、底部壁面とフランジの間に第１の先端１００から第２の先端１０２へ底部セクションの一方の側上に延びる滑らかで連続的な側壁３８Ａと、底部壁面とフランジ５６の間に第１の先端１００から第２の先端１０２へ底部セクションの他方の側に延びる滑らかで連続的な側壁３８Ｂを備える。底部セクションの滑らかで連続的な側壁３８Ａおよび３８Ｂは、底部セクションが、袋が充填および密封されたとき、その接合部を通る液体の漏出なく、パネル２８および３０の対向する周縁部分の間で、すなわち付属品受け空間でヒート・シールされることを可能にする。
【００２４】
可撓性パッケージ２２は、付属品をフィルムに密封するための１対の熱密封顎部を供えるように構成された従来型の充填成形密封機を使用して、それを可撓性フィルム、たとえば高分子フィルムのロール・ストックから製造することによって作製されてもよい。付属品を有する「直立型」パウチを作製および充填するための鉛直方向成形充填密封機は、その開示が参照によって本明細書に組み込まれる著者の米国特許第６，１８２，４２６号に開示されている。この機械は、本発明のパッケージを作製するように容易に修正されることができる。図９は、パッケージ２２を作製するための鉛直方向成形充填密封機を示しており、これは、本発明に従って使用されることができる多くのタイプ従来型の成形充填密封機の例である。
【００２５】
公知のように、図９のもののような、鉛直方向成形充填密封機は、何対かの横方向（水平方向）密封顎部によって機械内で断続的に下向きに引き出される高分子フィルムのウェブを使用している。フィルム・ウェブは、下向きに引き出されると、成形カラーまたはホルダ２０２によって平らな袋に形成される。特に、フィルムのチューブ・ウェブの境界側縁は、図２の２８Ａおよび３０Ａのように、並列された縁部として反対側に配置された図２の３２のような鉛直方向の折り線を有する平らなチューブを形成するように互いに並列して重ねられる。折り曲げられたフィルムの袋の運動は、短い時間の間停止され、パッケージに固定される付属品２６の舟の底部セクション３８が、それらの並列された縁部の連続する部分の間に（すなわち付属品受け空間内へ）持っていかれ、一方折り曲げられたフィルム袋は静止している。１対の対応する形状の鉛直方向を向いた熱密顎部（図示せず）が、付属品をそれらの間の定位置に固定するために、付属品底部セクションの両側でフィルムの袋と係合される。別の１対の対向する、鉛直方向を向いた熱密顎部（図示せず）が、パッケージになる予定のものがこれらの縁部を密封し、それによってフィルム・チューブを形成するために、連続する密封されていないフィルム封筒の並列された境界縁部と係合される。付属品２６を備える、それと固定された平坦なフィルム・チューブが、次に１対の横方向の密封顎部（図示せず）の動作によって下向きに移動される。これらの顎部は、前のパッケージの上部シール、および次に続くパッケージの底部シールを作成する。
【００２６】
パッケージが形成されるときにパッケージを充填するために、機械は、成形されたフィルム・チューブ内に延びる充填チューブ２０４を備え、いったん底部シールが作成された後、フィルム・チューブを充填し始める。フィルム・チューブの充填は、フィルム・チューブが、次に続くパッケージの底部シールを作成しながら、横方向の１対の熱顎部がその上端部を密封する位置にまで下降されるまで継続する。
【００２７】
前のパッケージの上部シールは、次に続くパッケージの底部シールのわずかに下方へ離隔されている。水平方向に配置されたナイフ・エッジ（図示せず）が、前の（今充填された）パッケージを後ろのパッケージと分離するために、すなわち、フィルム・チューブを前のパッケージの上部シールと次に続くパッケージの底部シールの間で切断するために、上部および底部シールを形成する対の顎部の間の空間内に挿入される。
当業者なら理解されるように、本パッケージはまた、水平方向成形充填密封機上で製造され、密封されることができる。簡単にするために、このような機械は本明細書では示されていない。
【００２８】
図６を見れば最もよくわかるように、本発明のパッケージ２２は、サドル・バッグ用の構成をそれぞれ形成するために中間セクション１２４によってそれぞれ接続された１対のパウチまたは袋１２２の列の形態の袋前駆体１２０を使用することによって作製されてもよい。このようなサドル・バック構成は、その開示が参照によって本明細書に組み込まれる、米国特許第5,237,999号に開示されている。この構成は、各袋１２２が、上記で開示されたような水栓付属品２６を備えるように本発明に従って修正されている。この目的のために、見ればわかるように、袋１２２のそれぞれは、上部パネル１２６および底部パネル１２８を備える。各袋の上部パネル１２６は、それぞれその２つの側縁１３０および１３２に沿って、およびその底縁１３４に沿って底部パネル１２８に対して密封されている。付属品２６が、パッケージ２０に関して上記で説明したように、底縁１３４内に配置され、密封されている。底部パネル１２８は、その中央セクションが、サドル・バッグ構成の中間セクション１２４を形成している一体部材である。袋１２２のそれぞれの上部縁部１３６は、開いている、すなわち、中間セクション１２４と連続する底部パネル１２８の下にある部分とのその接合面に沿って密封されていない。
【００２９】
袋前駆体のサドル・バッグ１２０の列は、図８に示すように、充填密封機３００によって充填および密封されるように構成されている。この機械は、その開示が参照によって本明細書に組み込まれる、米国特許第5,210,993号の教示に従って構成されている。この目的のために、直列に接続された前駆体サドル・バッグ・パッケージの列の形態の供給部３０２が設けられ、機械３００内に引き込まれ、その際、充填バルブが各袋１２２の開端部１３６内に入り、液体をその中に挿入する。いったん液体が挿入された後、各袋の開端部が、パッケージを完成させるために機械３００によって密封される。
【００３０】
その付属品が事前に付着されている、すなわち、サドル・バッグ構成の袋にすでに密封されている袋前駆体の供給部を使用する代わりに、ここで説明したように、本発明のパッケージは、付属品のない前駆体を使用して作製されることができる。このような構成では、付属品２６は、パッケージが充填および密封のために機械３００内に供給されるすぐ前にパッケージ前駆体の袋内に挿入されることになる。このような代替となる構成が、図９に示されている。すなわち、パッケージ前駆体１２０’の供給部３０４が、サドル構成の各袋内にいかなる付属品も備えないことを除いて、上記で説明したのと同様にして製造されることになる。このような場合では、サドル構成１２０’の各袋１２２は、図８に示した実施形態で固定部が配置されていた上部および底部パネルの周縁の一部が、付属品受け空間１３８を形成するために密封されないままであることになる。この空間は、図９で一連の短い長さの線として示されている。これらの水栓は、袋のパネルの１つの中にあるように図９で表されているが、底部パネルと上部パネルの周縁の接合面に実際はあることを指摘するべきである。
【００３１】
一連のパッケージ前駆体１２０’は、次に、パッケージ前駆体１２０’の各袋１２２の付属品挿入空間１２８内に付属品が挿入される、付属品挿入装置またはステーション３０６を通って供給される。特に、付属品２６の舟型の底部部分３８が、付属品受け空間１３８内に挿入され、次に、ステーション３０６の対応する形状の１対のヒート・シール顎部（図示せず）によって定位置に密封される。定位置に密封された付属品を備える一連のパッケージ１２０’が、次に、充填密封機３００内に供給され、その際、これらのパッケージの袋が、図８を参照にして説明したのと同様にして充填および密封される。
本発明をその特定の例を参照にして詳細に説明してきたが、様々な変更および修正が本発明の精神および範囲を逸脱することなく行うことができることを当業者なら理解されよう。
【図面の簡単な説明】
【００３２】
【図１】図１は、本発明に従って製造された、液体を保持し、分配するためのパッケージの例示的な一実施形態の鉛直方向部分断面図である。
【図２】図２は、図１のパッケージの一部を形成する可撓性の袋および水栓付属品の上部平面図である。
【図３】図３は、水栓付属品がその閉鎖状態で示されている、図２に示す付属品の断面図である。
【図４】図４は、水栓付属品がその開放状態で示されている、図３に示したのと同様の付属品の断面図である。
【図５】図５は、図３の線５−５に沿った水栓付属品の後部端面図である。
【００３３】
【図６】図６は、各袋が水栓付属品を備えるサドル・バッグ構成の形態でのパッケージ前駆体の上部平面図である。
【図７】図７は、それぞれが図２に示したのと同様に製造されている、一連の可撓性パッケージを形成、充填および密封するための自動化された装置または機械の等角図である。
【図８】図８は、図６の前駆体（サドル・タイプ・バック構成）を充填および密封するための自動化された装置または機械の等角図である。
【図９】図９は、このようなパッケージが最初に水栓付属品を備えていない、サドル・バッグ・パッケージ前駆体を充填および密封するための別の自動化された装置または機械の等角図である。
【符号の説明】
【００３４】
１０  パッケージ
２０  カートン
２２  パッケージ
２４  袋
２６  水栓付属品
２８、３０  パネル
２８Ａ、３０Ａ  周縁
３２  折り線
３６  周縁密封線
３８  底部セクション
３８Ａ、３８Ｂ  側壁
４６  表面
４８  くぼみ
５０  水栓セクション
５２  管状の接続セクション
５４  制御可能な分配セクション
５６  フランジ
５８  バレル
【００３５】
６０  中央通路
６２  通路
６４、６６  軸
６８  管状部材
７０  円形のカラー
７２Ａ、７２Ｂ  開始螺旋溝
７４  排出口
７６  プランジャ・ノブ
７８  外側スカート
８０  端部壁面
８２、８４  突起
８６  内部壁
８８  密封縁部
９０  プラグ
９２  吐出口
９４  中央部分
９６  第１の端部
９８  第２の端部
１００、１０２  先端
【００３６】
１２０  袋前駆体
１２０  パッケージ前駆体
１２２  袋
１２４  中間セクション
１２６  上部パネル
１２８  底部パネル
１３０、１３２  側縁
１３４  底縁
１３８  付属品受け空間
２０２  成形カラー
３００  充填密封機
３０２、３０４  供給部
３０６  付属品挿入装置
【図１】
2005272013.tif 000003
【図２】
2005272013.tif 000004
【図３】
2005272013.tif 000005
【図４】
2005272013.tif 000006
【図５】
2005272013.tif 000007
【図６】
2005272013.tif 000008
【図７】
2005272013.tif 000009
【図８】
2005272013.tif 000010
【図９】
2005272013.tif 000011